(57)【特許請求の範囲】
【請求項１】
シートカバーに該シートカバーを所定の取付部に引掛けるための引掛け具が結合された乗物用シートであって、
前記引掛け具は、前記所定の取付部に引掛けられる引掛部を有し、前記シートカバーに対して特定の面内方向に沿って延びる形に結合されており、
前記引掛け具の、前記引掛部を前記所定の取付部に向けて引き込む引込方向の中間部に、前記引掛部とは別に作業者の指を掛けられる形に起伏した段差部が形成されており、
前記段差部が前記引掛部と同じ形質である場合に、前記段差部が前記所定の取付部に組み付けられることを防止する誤組み付け防止構造を備えている乗物用シート。
【請求項２】
請求項１に記載の乗物用シートであって、
前記段差部が貫通孔である乗物用シート。
【請求項３】
請求項１又は請求項２に記載の乗物用シートであって、
前記段差部が前記特定の面内方向において前記引掛部の形成領域から外れた領域に形成されている乗物用シート。
【発明の詳細な説明】
【技術分野】
【０００１】
本発明は、乗物用シートに関する。詳しくは、シートカバーにシートカバーを所定の取付部に引掛けるための引掛け具が結合された乗物用シートに関する。
【背景技術】
【０００２】
従来、乗物用シートにおいて、シートカバーの互いに引き合わされて接続される各縁部に、互いに引掛けられて接続される樹脂板が結合されたものが知られている（特許文献１）。上記各樹脂板は、シートカバーの各縁部に沿って連続的に設けられる長尺状の板部材により形成されている。上記各樹脂板は、一方の樹脂板が短手方向の先端に引掛部を備え、他方の樹脂板が上記引掛部を引掛け可能な孔部を備え、これらの引掛けによりシートカバーのテンションに抗して互いを接続した状態に保持することのできる構成となっている。
【先行技術文献】
【特許文献】
【０００３】
【特許文献１】特開平１−３１３０８４号公報
【発明の概要】
【発明が解決しようとする課題】
【０００４】
しかし、上記従来技術では、各樹脂板がシートカバーの各縁部に結合されて設けられているために、各樹脂板同士をシートカバーのテンションに抗して引き合わせる際に、各樹脂板に指を掛けられずに作業が行い難くなることがある。本発明は、上記問題を解決するものとして創案されたものであって、本発明が解決しようとする課題は、シートカバーを所定の取付部に引掛けるための引掛け具に、作業者の指を適切に掛けられるようにすることにある。
【課題を解決するための手段】
【０００５】
上記課題を解決するために、本発明の乗物用シートは次の手段をとる。
【０００６】
第１の発明は、シートカバーにシートカバーを所定の取付部に引掛けるための引掛け具が結合された乗物用シートである。引掛け具は、所定の取付部に引掛けられる引掛部を有し、シートカバーに対して特定の面内方向に沿って延びる形に結合されている。引掛け具の、上記引掛部を所定の取付部に向けて引き込む引込方向の中間部に、引掛部とは別に作業者の指を掛けられる形に起伏した段差部が形成されている。
【０００７】
この第１の発明によれば、引掛け具がシートカバーに結合されて設けられていても、引掛け具を所定の取付部に引掛ける際に段差部に作業者の指を適切に掛けられるようにすることができる。
【０００８】
第２の発明は、上述した第１の発明において、次の構成とされているものである。段差部が貫通孔である。
【０００９】
この第２の発明によれば、引掛け具から形状を張り出させることなく段差部を設定することができる。また、引掛け具自体に指を通すことができるため、引掛け具に指を安定した強い力をかけられる状態に掛けられるようになる。
【００１０】
第３の発明は、上述した第１又は第２の発明において、次の構成とされているものである。段差部が引掛部と同じ形質である場合に、段差部が所定の取付部に組み付けられることを防止する誤組み付け防止構造を備えている。
【００１１】
この第３の発明によれば、段差部を引掛部と同じ形質に形成しても、誤組み付けを防止することができる。
【００１２】
第４の発明は、上述した第１から第３のいずれかの発明において、次の構成とされているものである。段差部が特定の面内方向において引掛部の形成領域から外れた領域に形成されている。
【００１３】
この第４の発明によれば、引掛部の所定の取付部への引掛けを邪魔しないように段差部を設けることができる。
【図面の簡単な説明】
【００１４】
【図１】実施例１の乗物用シートの概略構成を後側から見た斜視図である。
【図２】シートバックの要部を拡大して表した斜視図である。
【図３】引掛け具を被引掛け具から外した状態を表した斜視図である。
【図４】引掛け具と被引掛け具を後側から見た拡大斜視図である。
【図５】引掛け具と被引掛け具を前側から見た拡大斜視図である。
【図６】引掛け具と被引掛け具を後側から見た図である。
【図７】引掛け具と被引掛け具を横側から見た図である。
【図８】引掛け具と被引掛け具を前側から見た図である。
【図９】引掛け具を被引掛け具に引掛けた状態を後側から見た図である。
【図１０】引掛け具を被引掛け具に引掛けた状態を前側から見た図である。
【図１１】引掛け具と被引掛け具とに指を掛けて互いを引き寄せる方向に力をかけた状態を後側から見た図である。
【図１２】引掛け具の真ん中の引掛部を被引掛け具に引掛けた状態を表した図である。
【図１３】引掛け具の右側の引掛部を被引掛け具に引掛ける様子を表した図である。
【図１４】引掛け具の右側の引掛部を被引掛け具に引掛けた状態を表した図である。
【図１５】引掛け具の左側の引掛部を被引掛け具に引掛ける様子を表した図である。
【図１６】引掛け具の左側の引掛部を被引掛け具に引掛けた状態を表した図である。
【図１７】図１のXVII-XVII線断面図である。
【図１８】図１のXVIII-XVIII線断面図である。
【図１９】図２のXIX-XIX線断面図である。
【図２０】図１１のXX-XX線断面図である。
【図２１】引掛け具と被引掛け具との誤組み付け状態を表した斜視図である。
【図２２】他の形態の引掛け具の構成を拡大して表した要部断面図である。
【図２３】他の形態の引掛け具の構成を拡大して表した要部断面図である。
【図２４】他の形態の引掛け具の構成を拡大して表した要部断面図である。
【発明を実施するための形態】
【００１５】
以下に、本発明を実施するための形態について、図面を用いて説明する。
【実施例１】
【００１６】
＜＜シートの全体構成について：図１＞＞
始めに、実施例１のシート１（乗物用シート）の構成について、図１〜図２１を用いて説明する。なお、以下の説明中、「シート幅方向」「シート高さ方向」のように各種方向に「シート」を付して記載する場合には、シート１に対する方向を示し、「車両内側」「車両外側」のように「車両」を付して記載する場合には、車両に対する方向を示すものとする。本実施例のシート１は、図１に示すように、いわゆるセダンタイプの自動車の左席として構成されている。上記シート１は、着座者の背凭れとなるシートバック２と、着座部となるシートクッション３と、頭凭れとなるヘッドレスト（図示省略）と、を備えた構成となっている。
【００１７】
＜＜シートバックの全体構成について：図１＞＞
上述したシートバック２は、その内部の骨格構造を構成する金属製のバックフレーム１０と、バックフレーム１０の前部に組み付けられて着座者の体圧を和らげて受け止める発泡ウレタン製のバックパッド２０と、シートバック２全体を外周側から覆う合成皮革製のバックカバー３０と、を有して構成されている。また、上記シートバック２には、その車両外側の側部箇所に、車両の側部衝突の発生時にエアバッグをシート前方側に膨張展開させて、着座者の身体を衝突から保護するサイドエアバッグ装置Ｓ／Ａが内装されている。
【００１８】
上述したバックフレーム１０は、左右一対の縦長状の鋼板材から成るサイドフレーム１１と、各サイドフレーム１１の上端部間に一体的に架橋された逆Ｕ字状の円鋼管材から成るアッパパイプ１２と、各サイドフレーム１１の下端部間に一体的に架橋された横長状の鋼板材から成るロアプレート１３と、によって、全体が正面視四角枠状の形に組まれた構成となっている。
【００１９】
上述した各サイドフレーム１１は、それぞれ、シートバック２の左右両側の側部領域の骨格を成す部材として構成されている。各サイドフレーム１１は、それぞれ、シート高さ方向に長尺な形にカットされた１枚の鋼板材により形成されており、互いに向かい合うシート内側（シート幅方向の内側）に互いの内側面を向けて配設された状態とされている。各サイドフレーム１１は、それぞれ、それらの前後側の各縁部位がシート内側に折り曲げられた形状とされている。これにより、各サイドフレーム１１は、それらの前後側の各縁部位のエッジが外部に出にくいようにシート内側に丸められていると共に、構造全体としての曲げや捩りに対する強度が高められた構成となっている。
【００２０】
アッパパイプ１２は、シートバック２の左右両側の肩口部領域と上側部領域の骨格を成す部材として、円鋼管材が逆Ｕ字状に折り曲げられて形成されている。上記アッパパイプ１２は、その左右両側の下方側に折り曲げられた先の各端部が、上述した各サイドフレーム１１の上端部に形成された半パイプ状に絞られた形状部分に嵌め込まれて、溶接により強固に一体的に結合された状態とされている。上記結合により、アッパパイプ１２は、上述した各サイドフレーム１１の上端部間を繋ぐ形で、これらの間に強固に一体的に架橋された状態とされている。上記アッパパイプ１２のシート幅方向の中間部には、図示しないヘッドレストを下方側から支えるためのホルダ部材が左右２箇所に溶接されて結合されている。
【００２１】
ロアプレート１３は、上述した各サイドフレーム１１の下部間を繋ぐ補強部材として、これらの間にシート前後方向に面を向けて横長状の形に配設された状態とされている。詳しくは、上記ロアプレート１３は、その左右両側の各端部が、上述した各サイドフレーム１１のシート内側に折り曲げられた後側の縁部位にそれぞれ前側からあてがわれて、溶接により強固に一体的に結合された状態とされている。上記結合により、ロアプレート１３は、上述した各サイドフレーム１１の下部間を繋ぐ形で、これらの間に強固に一体的に架橋された状態とされている。上記ロアプレート１３は、その上下側の各縁部位がシート前方側に折り曲げられていることで、曲げや捩りに対する構造強度が高められていると共に、外部（シート後方側）に対してエッジを立たせない形に丸められた構成とされている。
【００２２】
バックパッド２０は、ウレタン樹脂をシートバック２の基本的な外形を成す形に発泡成形して形成されているものである。上記バックパッド２０は、上述した四角枠状に組まれたバックフレーム１０にシート前方側から組み付けられることにより、バックフレーム１０の四角枠全体をシート前方側から広く覆うと共に、その上下左右の各周縁部に形成されたシート後方側へ巻き込み状に延びる各延長部形状によって、バックフレーム１０の四角枠全体を上下左右の各外周側からやシート後方側からも広く覆った状態にセットされた状態とされている。そして、上記バックパッド２０は、上記バックフレーム１０への組み付け後に、袋状に縫製されたバックカバー３０が上方側から被せ付けられて、その所々の箇所がバックパッド２０内に吊り込まれたり、バックフレーム１０に止着されたりすることにより、バックカバー３０の張設力によってバックフレーム１０に押さえ付けられて保持された状態とされている。
【００２３】
バックカバー３０は、シートバック２の各面の形に合わせてカットされた複数枚のカバーピースが１枚の袋形状に縫い合わされて形成されているものである。上記バックカバー３０は、上記組み付けられたバックパッド２０に上方側から袋を被せるように組み付けられた後、図１〜図３に示すように、そのバックパッド２０（シートバック２）の背裏面に被せ付けられた背裏側上部ピース３１が、バックパッド２０（シートバック２）の前面側から下方側を通って後側に回し込まれた背裏側下部ピース３２と止着されることにより、シートバック２の外周面に浮きや皺を生じさせない形に張設された状態とされている。
【００２４】
詳しくは、上述したバックカバー３０は、その図示しないシートバック２の前面側に被せ付けられた各カバー領域が、バックパッド２０の中央領域とその左右両サイドのシート前方側に山状に膨らんだ各サイドサポート領域との間の谷状に凹んだ箇所などに吊り込まれて止着されていることにより、シートバック２の外周面全体に広く密着した状態に張設された状態とされている。上記バックカバー３０の背裏側上部ピース３１と背裏側下部ピース３２とは、図２〜図３に示すように、背裏側下部ピース３２の上縁部位に沿って縫合された樹脂製の引掛け具４０が、背裏側上部ピース３１の高さ方向の中間部位に沿って縫合された樹脂製の被引掛け具５０に引掛けられることにより、互いに強く引き合わされた状態に止着された状態とされている。ここで、上記背裏側上部ピース３１が本発明の「シートカバー」に相当し、引掛け具４０が本発明の「所定の取付部」に相当し、被引掛け具５０が本発明の「引掛け具」に相当する。
【００２５】
上記背裏側上部ピース３１は、上記被引掛け具５０が縫合された高さ方向の中間部位（縫い線３１Ａ）から更に下方側へ形状を延ばす延長領域３１Ｂを有した形状とされている。上記背裏側上部ピース３１は、上記引掛け具４０を被引掛け具５０に引掛けた後に、上記延長領域３１Ｂが下方側に垂れ下げられて図示しないシートクッション３の後部骨格等の所定箇所に結合されることにより、上記引掛け具４０と被引掛け具５０との掛け合わせ箇所が外部から見えないように被覆した状態となるように張設されるようになっている。
【００２６】
サイドエアバッグ装置Ｓ／Ａは、図１に示すように、上述したバックフレーム１０の車両外側のサイドフレーム１１の外側部に一体的に取り付けられている。上記サイドエアバッグ装置Ｓ／Ａは、常時は、上述したバックパッド２０やバックカバー３０によって外側から覆われたシートバック２の内部に埋もれた状態として配設されている。上記サイドエアバッグ装置Ｓ／Ａは、車両の側部衝突が起きることにより（もしくは検知されることにより）、瞬時にエアバッグをシート前方側に膨張展開させて、着座者の身体を衝突から保護するようになっている。
【００２７】
上記サイドエアバッグ装置Ｓ／Ａは、上記エアバッグの膨張展開時には、エアバッグのシート前方側に位置するバックパッド２０の車両外側のサイドサポート領域や同領域を表側から被覆するバックカバー３０に内側から強い展開圧をかけて、これらを内側から引き裂きながらエアバッグをシート前方側に膨張展開させるようになっている。したがって、上記エアバッグの膨張展開に伴って、バックカバー３０には、特にエアバッグの配置側領域となる車両外側の領域において、背裏側上部ピース３１と背裏側下部ピース３２との間に、これらを互いにシート高さ方向に引き離そうとする強い引張り力が入力されることがある。
【００２８】
しかしながら、上記背裏側上部ピース３１と背裏側下部ピース３２とは、上述した引掛け具４０と被引掛け具５０とが互いに強く掛け合わされる構成となっていることにより、上記のようなサイドエアバッグ装置Ｓ／Ａの膨張展開に伴う強い引張り力の作用を受けても、互いに強く止着された状態に保持されるようになっている。しかしその一方で、上記引掛け具４０と被引掛け具５０とは、互いに掛け合わされる際には、上記のような強い引張り強度を発揮できる構成であるにもかかわらず、互いの掛け合わせを比較的簡便に行えるようになっている。
【００２９】
＜＜引掛け具と被引掛け具の全体構成について：図２〜図３＞＞
以下、上述したバックカバー３０の背裏側上部ピース３１と背裏側下部ピース３２とを止着させる引掛け具４０と被引掛け具５０の構成、及びこれらの掛け合わせ方について、図２〜図２０を用いて詳しく説明する。上述した引掛け具４０と被引掛け具５０とは、それぞれ、ポリプロピレン樹脂（ＰＰ樹脂）のインジェクション成形により、左右対称な形に形成された１部品によって構成されている。上記引掛け具４０は、図２〜図３に示すように、シート幅方向に長尺な板状に形成されており、背裏側下部ピース３２の上縁部位に沿って同上縁部位のシート幅方向の略全域に亘って広く縫合（縫い線３２Ａ）されて一体化された状態として設けられている。
【００３０】
また、被引掛け具５０も、上記引掛け具４０より僅かにシート幅方向に長尺な形となる板状に形成されており、背裏側上部ピース３１の中間部位に沿って同中間部位のシート幅方向の略全域に亘って広く縫合（縫い線３１Ａ）されて一体化された状態として設けられている。上述した引掛け具４０と被引掛け具５０とは、それらのシート幅方向の中央部同士と両端部同士との計３箇所同士が互いに掛け合わされて結合されるようになっている。上記引掛け具４０と被引掛け具５０との掛け合わせにより、バックカバー３０の背裏側上部ピース３１と背裏側下部ピース３２とが互いにシート幅方向の広い範囲に亘って左右対称な形に引張られて止着された状態とされるようになっている。上述した引掛け具４０と被引掛け具５０とは、バックフレーム１０のロアプレート１３の背裏側の位置（ロアプレート１３とシート高さ方向の配置が重なる位置）で互いに引掛けられて止着されるようになっている。
【００３１】
＜＜引掛け具の具体的な構成について：図２〜図８、図１７〜図１８＞＞
上述した引掛け具４０は、図４〜図８に示すように、そのシート幅方向に長尺な形とされた短手方向の先端（図示上端）に、上述した被引掛け具５０に引掛けられて止着されるフック形状の引掛部４１Ａ，４１Ｂが、シート幅方向の中央部と両端部との３箇所に分かれて形成されている。これら引掛部４１Ａ，４１Ｂは、引掛け具４０の短手方向の先端側（図示上端側）から短手方向に面一状に立ち上がる立ち上がり片４１Ａ１，４１Ｂ１と、各立ち上がり片４１Ａ１，４１Ｂ１の延びた先の端部からシート後方下側に折り返される形で延びる返し片４１Ａ２，４１Ｂ２と、各返し片４１Ａ２，４１Ｂ２の延びた先の端部から各立ち上がり片４１Ａ１，４１Ｂ１との隙間を埋める方向に突出する掛爪４１Ａ３，４１Ｂ３と、を有する形に形成されている。各掛爪４１Ａ３，４１Ｂ３は、各返し片４１Ａ２，４１Ｂ２の延びた先の端部からＪ字状に反り返される形に突出する形に形成されている。
【００３２】
上述した各引掛部４１Ａ，４１Ｂのうち、左右両端側に形成された各引掛部４１Ｂは、図１８に示すように、それらの立ち上がり片４１Ｂ１の延びた先の端部からシート後方下側に折り返される形で延びる各返し片４１Ｂ２や掛爪４１Ｂ３が、図１７に示す中央の引掛部４１Ａの返し片４１Ａ２や掛爪４１Ａ３よりも肉厚が大きな形に形成されて、構造強度が高められた構成とされている。そして、これら左右両端側の各引掛部４１Ｂは、図１９に示すように、上述したシートバック２の左右両側の各サイドフレーム１１の直ぐ後側の位置までシート幅方向に延び出した位置で被引掛け具５０に引掛けられるようになっている。
【００３３】
このような構成となっていることにより、左右両端側に形成された各引掛部４１Ｂは、中央の引掛部４１Ａよりも被引掛け具５０から外れにくい高い引張り強度を発揮することができる構成とされている。したがって、図２で上述したように、シートバック２の車両外側の領域に配設されたサイドエアバッグ装置Ｓ／Ａが展開作動して、バックカバー３０の背裏側上部ピース３１と背裏側下部ピース３２との間にシート高さ方向の強い引張り力が入力された際には、上記引掛け具４０の車両外側の端部に設けられた引掛部４１Ｂと被引掛け具５０との高い引掛かり強度によって、上記の強い引張り力を受け止めることができる。
【００３４】
また、引掛け具４０の車両内側の端部に設けられた引掛部４１Ｂも、上記と同様に、サイドエアバッグ装置Ｓ／Ａの展開圧に耐えられる構造強度を備えた構成となっている。上記車両内側の端部に設けられた引掛部４１Ｂは、引掛け具４０が運転席（図示省略）に適用される場合に、同運転席における車両外側の端部に設けられるようになっている。そして、上記引掛部４１Ｂは、運転席の車両外側の領域に配設されるサイドエアバッグ装置（図示省略）の展開作動時に、その展開圧に耐え得る引掛かり強度を発揮するようになっている。
【００３５】
また、図４〜図８に示すように、上述した引掛け具４０には、そのシート幅方向に長尺な形とされた短手方向の中央から末端（図示下端）にかけての領域に、バックカバー３０の背裏側下部ピース３２の上縁部位に沿って縫合される結合部４２が形成されている。上記結合部４２は、その大部分の領域が、上記背裏側下部ピース３２の上縁部位にあてがえて縫合することのできる肉厚の薄い平板形状に形成されている。しかし、上記結合部４２には、その末端（図示下端）側の縁部位に、平板形状の面外方向となるシート後方側に断面半円形状に膨らむリブ４２Ａ，４２Ｂ，４２Ｃが、シート幅方向の中央部と両端部、それと中央部と両端部との各間と、の計５箇所に分かれて形成されている。これにより、結合部４２は、全体として、作業者が曲げたり捩ったりするなどの力を加えない限り、自重によってはほとんど曲げ撓まされることのない適度な剛性を備えた構成とされている。
【００３６】
上述した各リブ４２Ａ，４２Ｂ，４２Ｃは、図５、図８、図１７及び図１８等に示すように、それらの背面部に背面部を空洞化させる空間部位４２Ａ１，４２Ｂ１，４２Ｃ１が形成された構成となっている。これらの空間部位４２Ａ１，４２Ｂ１，４２Ｃ１によって、各リブ４２Ａ，４２Ｂ，４２Ｃは、肉抜きされて軽量化されていると共に、それぞれの剛性が下げられて、外部から受ける無理な負荷を撓んで逃がすことができる構成とされている。上述した各リブ４２Ａ，４２Ｂ，４２Ｃの膨らみの大きさや、背面側の空間部位４２Ａ１，４２Ｂ１，４２Ｃ１の肉抜きの大きさは、それぞれ互いに同じとなっている。
【００３７】
図４〜図８に示すように、上述した各リブ４２Ａ，４２Ｂ，４２Ｃのうち、シート幅方向の中央に形成されたリブ４２Ａは、引掛け具４０のシート幅方向の全長のうちの略半分程度の長さを占める長尺な長さに形成されている。上記中央のリブ４２Ａは、そのシート幅方向の中央箇所において、上述した中央の引掛部４１Ａとシート幅方向の配置が重なる関係となる位置に形成されている。また、シート幅方向の両端側に形成された各リブ４２Ｂは、上述した引掛け具４０の両端側に形成された各引掛部４１Ｂよりもシート幅方向に形状が長く、かつ、シート幅方向の配置が重なる関係となる位置に形成されている。詳しくは、上記の両端側に形成された各リブ４２Ｂは、両端側の各引掛部４１Ｂのシート幅方向の形成領域を完全に跨ると共に、各引掛部４１Ｂよりもシート幅方向の両側に形状を延ばす形となって形成されている。
【００３８】
また、上記シート幅方向の中央のリブ４２Ａと両端側の各リブ４２Ｂとの各間に形成された各リブ４２Ｃは、各間の略中央箇所に形成されている。これらのリブ４２Ｃは、それぞれ、他のリブ４２Ａ，４２Ｂとは異なり、シート幅方向の長さが短く、半球状に突出した形となって形成されている。上記各リブ４２Ｃは、上述した中央のリブ４２Ａと左右両端側の各リブ４２Ｂとの間に、両端側の各リブ４２Ｂのシート幅方向の幅長と同程度の間隔を空けて形成された状態とされている。
【００３９】
上述した各リブ４２Ａ，４２Ｂ，４２Ｃの形成により、結合部４２は、各リブ４２Ａ，４２Ｂ，４２Ｃの形成されたシート幅方向の各領域では、面外方向や面内方向への各曲げや捩りに対する構造強度が高められた構成とされている。また、結合部４２は、上記各リブ４２Ａ，４２Ｂ，４２Ｃの形成されたシート幅方向の各領域では、図２に示すように、引掛け具４０を被引掛け具５０に引掛けてバックカバー３０が張設された状態においては、それらの下側の縁部位が各リブ４２Ａ，４２Ｂ，４２Ｃによって丸められていることで、外部（シート後方側）に対してエッジを立たせない形に丸められた状態として設けられるようになっている。これにより、上記引掛け具４０の各リブ４２Ａ，４２Ｂ，４２Ｃの形成された領域にシート後方側から物が当たるなどして外力がかけられても、上記各リブ４２Ａ，４２Ｂ，４２Ｃの丸められた形状によって当たりを和らげて受け止めることができるようになっている。
【００４０】
また、上記各リブ４２Ａ，４２Ｂ，４２Ｃの形成により、図１１等で後述するように、引掛け具４０を被引掛け具５０に引掛ける際、引掛け具４０の下縁側の丸められた周面部位に指をあてがえて、指を各リブ４２Ａ，４２Ｂ，４２Ｃの周面部位に沿って広く滑らかに面当接させることができるようになっている。これにより、引掛け具４０を被引掛け具５０に引掛ける作業に力を入れやすくなると共に、同引掛け作業を指に無理な負荷を受けない状態で行うことができるようになっている。
【００４１】
また、上記各リブ４２Ａ，４２Ｂ，４２Ｃばかりでなく、各引掛部４１Ａ，４１Ｂも、これらの被引掛け具５０に引掛けられてシート後方側に張り出す各返し片４１Ａ２，４１Ｂ２のシート後方側の面部が、上下左右の各縁部位が丸められた形状となっており、外部（シート後方側）に対してエッジを立たせない形に丸められた状態として設けられるようになっている。これにより、上記引掛け具４０の各引掛部４１Ａ，４１Ｂの形成された領域にシート後方側から物が当たるなどして外力がかけられても、各引掛部４１Ａ，４１Ｂの丸められた形状によって当たりを和らげて受け止めることができるようになっている。
【００４２】
また、上記結合部４２の各リブ４２Ａ，４２Ｂ，４２Ｃの形成されていないシート幅方向の各領域は、可撓領域４２Ｄとして、各リブ４２Ａ，４２Ｂ，４２Ｃの形成された領域と比べて曲げられたり捩られたりし易い構成とされている。上記結合部４２の各可撓領域４２Ｄは、それらの下側の縁部位が丸められた形状とはなっていない。しかし、各可撓領域４２Ｄの下側の縁部位は、それらのシート幅方向の幅長が狭いために、これらの領域にはシート後方側から物が当たらないようになっており、隣接する他のリブ４２Ａ，４２Ｂ，４２Ｃによって、シート後方側からの当たりが和らげられて受け止められるようになっている。
【００４３】
また、上記結合部４２の各引掛部４１Ａ，４１Ｂが形成されていないシート幅方向の各領域の上側の縁部位も、丸められた形状とはなっていない。しかし、これらの縁部位は、引掛け具４０が被引掛け具５０に引掛けられた状態では、後述する被引掛け具５０の下側リブ５３よりシート前方下側に退避した位置に設けられるようになっている。そのため、上記結合部４２の上側の縁部位には、シート後方側から物が当たらないようになっており、近接する被引掛け具５０の下側リブ５３によって、シート後方側からの当たりが和らげられて受け止められるようになっている。
【００４４】
また、上記結合部４２のシート幅方向の両外側の各縁部位も、丸められた形状とはなっていない。しかし、これら両外側の各縁部位は、それらのシート高さ方向の幅長が狭いために、これらの領域にはシート後方側から物が当たらないようになっており、近接する被引掛け具５０の下側リブ５３や引掛け具４０の両端側の引掛部４１Ｂ、それに両端側のリブ４２Ｂによって、シート後方側からの当たりが和らげられて受け止められるようになっている。
【００４５】
上述した引掛け具４０は、図２〜図３及び図１７〜図１８に示すように、その上述した結合部４２のシート前方側の面部上に、バックカバー３０の背裏側下部ピース３２の上縁部位があてがわれ、このあてがわれた部位に沿って互いにシート幅方向に連続的に縫合（縫い線３２Ａ）されることにより、背裏側下部ピース３２の上縁部位に一体的に結合された状態とされている。詳しくは、上記引掛け具４０の結合部４２は、その上述した各リブ４２Ａ，４２Ｂ，４２Ｃよりも上側となるシート高さ方向の中間部領域に、背裏側下部ピース３２の上縁部位が一定の縫い代を空けてあてがわれて縫合（縫い線３２Ａ）された状態とされている。
【００４６】
＜＜被引掛け具の具体的な構成について：図２〜図１８＞＞
被引掛け具５０は、図４〜図８に示すように、そのシート幅方向に長尺な平板形状に形成された本体部の短手方向の中央領域に、上述した引掛け具４０に形成された各引掛部４１Ａ，４１Ｂを掛け入れることのできる引掛孔５１Ａ，５１Ｂが、各引掛部４１Ａ，４１Ｂの形成箇所に対応したシート幅方向の中央部と両端部との３箇所に分かれて形成されている。これら引掛孔５１Ａ，５１Ｂは、図９〜図１０に示すように、上述した引掛け具４０の各引掛部４１Ａ，４１Ｂを、それぞれシート前方側から後方側へ掛け入れて、それらの下側の枠片となる各掛枠５１Ａ１，５１Ｂ１上に、対応する各引掛部４１Ａ，４１Ｂを引掛けることができる構成とされている。ここで、上記各引掛孔５１Ａ，５１Ｂが本発明の「引掛部」に相当する。
【００４７】
具体的には、各引掛孔５１Ａ，５１Ｂは、それらに通される対応する各引掛部４１Ａ，４１Ｂの返し片４１Ａ２，４１Ｂ２よりも、シート幅方向の幅長やシート高さ方向の幅長が僅かに広い矩形状の貫通孔として形成されている。これにより、各引掛孔５１Ａ，５１Ｂは、それらに通される各引掛部４１Ａ，４１Ｂの返し片４１Ａ２，４１Ｂ２を斜めに傾けることなく真っ直ぐな姿勢でシート前方側から後方側へスムーズに通すことができるようになっている。
【００４８】
また、各引掛孔５１Ａ，５１Ｂのうち、中央の引掛孔５１Ａは、図１７に示すように、その下側の掛枠５１Ａ１が、対応する引掛け具４０の中央の引掛部４１Ａを返し片４１Ａ２がその上面に底付きする位置まで受け入れる形となっている。これに対して、図１８に示すように、左右両端側の各引掛孔５１Ｂは、それらの掛枠５１Ｂ１が、対応する引掛け具４０の左右両端側の各引掛部４１Ｂを引掛けた状態において、返し片４１Ｂ２が上面から浮くところまでシート高さ方向にガタ付かせることができる形となって形成されている。このような構成の違いは、中央の引掛孔５１Ａの掛枠５１Ａ１が、左右両端側の引掛孔５１Ｂの掛枠５１Ｂ１よりも上方側に形状を張り出させる張出縁部５１Ａ２を有した横断面形状に形成されていることによるものである。
【００４９】
上記の理由によって、引掛け具４０の左右両端側の各引掛部４１Ｂは、対応する左右両端側の各引掛孔５１Ｂの掛枠５１Ｂ１に対して、シート高さ方向に僅かな隙間を有した状態に掛け合わされるようになっている。上記の隙間が設定されている理由は、詳しくは図１１〜図１６において後述するが、引掛け具４０の各引掛部４１Ａ，４１Ｂを被引掛け具５０の対応する各引掛孔５１Ａ，５１Ｂに引掛ける作業が、次の手順で行われるようになっているためである。先ず、中央の引掛部４１Ａを対応する引掛孔５１Ａに引掛ける（図１１〜図１２参照）。次いで、右側（或いは左側）の引掛部４１Ｂを対応する引掛孔５１Ｂに引掛ける（図１３〜図１４参照）。そして最後に、残る左側（或いは右側）の引掛部４１Ｂを対応する引掛孔５１Ｂに引掛ける（図１５〜図１６参照）。
【００５０】
このような流れで行われるようになっているために、最後の左側（或いは右側）の引掛部４１Ｂを対応する引掛孔５１Ｂに引掛ける（図１５〜図１６参照）際に、引掛け具４０が中央の引掛部４１Ａを支点に先に引掛けられた右側（或いは左側）の引掛部４１Ｂが同側の引掛孔５１Ｂ内で下方側に首振りされてしまう。そこで、この首振りの動きを逃がすために、上記の隙間が設定されている。この隙間がないと、首振りの際に支点となる中央の引掛部４１Ａが首振りの動きによって同側の掛枠５１Ａ１から外し出されてしまうおそれがある。
【００５１】
また、図１７に示すように、被引掛け具５０の中央の引掛孔５１Ａの下側の掛枠５１Ａ１は、これに掛けられる引掛け具４０の中央の引掛部４１Ａの掛爪４１Ａ３が掛かる底側のシート後方側の縁部位が、掛爪４１Ａ３の外しを比較的容易とすることができるように丸められた形に形成されている。このように構成されていることにより、図１５〜図１６で上述したように、左側（或いは右側）の最後の引掛部４１Ｂを対応する引掛孔５１Ｂに引掛ける際に、その首振りの支点となる中央の引掛部４１Ａがその掛けられた掛枠５１Ａ１に対して僅かでも上方側に滑ることができるようになっている。したがって、上記の滑り移動によって、引掛け具４０の首振りの振れ幅を少しでも小さくして、先に引掛けられた中央の引掛部４１Ａや右側（或いは左側）の引掛部４１Ｂをそれぞれの引掛孔５１Ａ，５１Ｂの掛枠５１Ａ１，５１Ｂ１から外れにくくすることができる。
【００５２】
これに対して、図１８に示すように、被引掛け具５０の左右両端側の各引掛孔５１Ｂの下側の掛枠５１Ｂ１は、これらに掛けられる引掛け具４０の左右両端側の各引掛部４１Ｂの掛爪４１Ｂ３が掛かる底側のシート後方側の縁部位が、一度引掛けた各掛爪４１Ｂ３が容易には外れないように各掛爪４１Ｂ３をシート高さ方向に真っ直ぐに向けた面で強く受け止めることができる形に形成されている。このように構成されていることにより、上記左右両端側の各引掛孔５１Ｂの掛枠５１Ｂ１に引掛けられた引掛け具４０の各引掛部４１Ｂが、図２で前述したサイドエアバッグ装置Ｓ／Ａの展開作動時に、各掛枠５１Ｂ１に強く引掛けられた状態に保持されるようになっている。
【００５３】
ところで、図４〜図８に示すように、上述した被引掛け具５０の平板状の本体部は、その大部分の領域が、上記背裏側上部ピース３１の中間部位にあてがえて縫合することのできる肉厚の薄い平板形状に形成されている。しかし、上記本体部には、その末端（図示上端）側の縁部位に、平板形状の面外方向となるシート後方側に断面半円形状に膨らむ上側リブ５２が、シート幅方向の全域に亘って一続きに連なった形に形成されている。
【００５４】
また、上記本体部には、その先端（図示下端）側の縁部位に、同じく平板形状の面外方向となるシート後方側に断面半円形状に膨らむ下側リブ５３が、上記各引掛孔５１Ａ，５１Ｂの掛枠５１Ａ１，５１Ｂ１の形成領域を除くシート幅方向の全域に亘って断続的に形成されている。上述した各下側リブ５３は、各引掛孔５１Ａ，５１Ｂの下側の縁部となる各掛枠５１Ａ１，５１Ｂ１と同軸上（同列上）の位置に並んで形成されている。したがって、上述した上側リブ５２や下側リブ５３の形成により、被引掛け具５０は、全体として、作業者が曲げたり捩ったりするなどの力を加えない限り、自重によってはほとんど曲げ撓まされることのない適度な剛性を備えた構成とされている。
【００５５】
上述した上側リブ５２は、図５、図８、図１７及び図１８等に示すように、その背面部に背面部を空洞化させる空間部位５２Ａが形成された構成となっている。上記空間部位５２Ａによって、上側リブ５２は、肉抜きされて軽量化されていると共に、それぞれの剛性が下げられて、外部から受ける無理な負荷を撓んで逃がすことができる構成とされている。一方、下側リブ５３は、その背面部が空洞化されておらず、寸胴な中実形状とされている。下側リブ５３は、このような形状とされていることにより、上述した各引掛孔５１Ａ，５１Ｂの掛枠５１Ａ１，５１Ｂ１に引掛けた引掛け具４０を捩じらせることなくシート幅方向に真っ直ぐに延びる形状状態に維持して引掛けた状態に保持することができる高い剛性を備えた構成とされている。
【００５６】
上記上側リブ５２や下側リブ５３を備えた被引掛け具５０は、図２に示すように、引掛け具４０を被引掛け具５０に引掛けてバックカバー３０が張設された状態においては、その上側の縁部位が上側リブ５２によって丸められていることで、外部（シート後方側）に対してエッジを立たせない形に丸められた状態として設けられるようになっている。これにより、上記被引掛け具５０の上側リブ５２の形成された領域にシート後方側から物が当たるなどして外力がかけられても、上記上側リブ５２の丸められた形状によって当たりを和らげて受け止めることができるようになっている。
【００５７】
また、上記被引掛け具５０は、その下側の縁部位も下側リブ５３によって形状が丸められていることで、外部（シート後方側）に対してエッジを立たせない形に丸められた状態として設けられるようになっている。これにより、上記被引掛け具５０の下側リブ５３の形成された領域にシート後方側から物が当たるなどして外力がかけられても、上記下側リブ５３の丸められた形状によって当たりを和らげて受け止めることができるようになっている。
【００５８】
上記被引掛け具５０のシート幅方向の両外側の各縁部位は、丸められた形状とはなっていない。しかし、これら両外側の各縁部位は、それらのシート高さ方向の幅長が狭いために、これらの領域にはシート後方側から物が当たらないようになっており、近接する上側リブ５２や下側リブ５３や引掛け具４０の両端側の各引掛部４１Ｂによって、シート後方側からの当たりが和らげられて受け止められるようになっている。
【００５９】
また、被引掛け具５０に形成された各引掛孔５１Ａ，５１Ｂや後述する各指掛孔５４Ａ，５４Ｂも同様に、それらのシート後方側に露呈する各縁部位が丸められた形状とはなっていない。しかし、これらも同様に、シート幅方向や高さ方向の幅長が狭いために、これらの領域にはシート後方側から物が当たらないようになっており、近接する上側リブ５２や下側リブ５３や引掛け具４０の両端側の各引掛部４１Ｂによって、シート後方側からの当たりが和らげられて受け止められるようになっている。
【００６０】
また、図１１〜図１６に示すように、上述した被引掛け具５０の本体部には、上述した中央の引掛孔５１Ａの左右両隣と、右側の引掛孔５１Ｂの左隣と、左側の引掛孔５１Ｂの右隣とに、それぞれ、作業者が引掛け具４０を被引掛け具５０に引掛ける作業をする際に指を掛け入れることのできる指掛孔５４Ａ，５４Ｂが形成されている。これら指掛孔５４Ａ，５４Ｂは、各引掛孔５１Ａ，５１Ｂとはシート幅方向に一定間隔を空けて離間した状態に形成されているが、各引掛孔５１Ａ，５１Ｂとほぼ同じ大きさ・形となる矩形状に刳り貫かれた形状とされている。ここで、各指掛孔５４Ａ，５４Ｂが本発明の「段差部」に相当する。
【００６１】
詳しくは、上記各指掛孔５４Ａ，５４Ｂは、各引掛孔５１Ａ，５１Ｂとシート高さ方向にずれることなく、互いにシート幅方向にほぼ同列に並ぶように横並び状に形成された状態とされている。上記各指掛孔５４Ａ，５４Ｂの下側の縁部は、上述した下側リブ５３によって形成されている。これにより、各指掛孔５４Ａ，５４Ｂの下側の縁部は、下側リブ５３の断面半円形状に膨らむ丸みのある周面形状によって、指を広く滑らかに面当接させられる形状となっている。
【００６２】
上記のように各指掛孔５４Ａ，５４Ｂが各引掛孔５１Ａ，５１Ｂと互いにシート幅方向に同列に並んで同じ形に形成されていることにより、例えば、引掛け具４０の中央の引掛部４１Ａを被引掛け具５０の対応する引掛孔５１Ａに引掛けようとした際に、誤って、その左右どちらか一方に形成された指掛孔５４Ａに中央の引掛部４１Ａを引掛けてしまうおそれが生じ得る。しかしながら、図２１に示すように、たとえそのような間違った引掛けが行われたとしても、その間違って掛けられた中央の引掛部４１Ａは、指掛孔５４Ａの下側の縁部となる下側リブ５３に掛枠５１Ａ１よりも膨らみがあることで嵌りにくくなっている。なおかつ、たとえ無理に嵌め込まれたとしても、引掛け具４０の長手方向の一端が被引掛け具５０から外側（シート幅方向の外側）へ大きく食み出した状態となるために、作業者は、その続きの作業が行えない状態であることを視覚で認識することができる。その際、下側リブ５３に誤って引掛けられた引掛け具４０の中央の引掛部４１Ａは、下側リブ５３が断面半円形状に膨らむ形となっているために、比較的スムーズに下側リブ５３から引き抜くことができる。以上の誤組み付けを防止する構造が、本発明の「誤組み付け防止構造」に相当する。
【００６３】
上述した各指掛孔５４Ａ，５４Ｂが各引掛孔５１Ａ，５１Ｂと互いにほぼ同じ大きさで、かつ、シート高さ方向にずれることなく、シート幅方向にほぼ同列に並ぶように形成された理由は次の通りである。すなわち、上述した被引掛け具５０は、図２〜図３及び図１７〜図１８に示すように、その上述した本体部のシート後方側の面部上に、バックカバー３０の背裏側上部ピース３１の中間部位があてがわれて、このあてがわれた部位に沿って互いにシート幅方向に連続的に縫合（縫い線３１Ａ）されることにより、背裏側上部ピース３１の中間部位に一体的に結合された状態とされている。詳しくは、上記被引掛け具５０の本体部は、その上述した各引掛孔５１Ａ，５１Ｂや指掛孔５４Ａ，５４Ｂが形成されたシート高さ方向の領域と上側リブ５２との間の中間部領域に、背裏側上部ピース３１の中間部位があてがわれて縫合（縫い線３１Ａ）されるようになっている。
【００６４】
したがって、上述した被引掛け具５０と背裏側上部ピース３１との縫合領域を確保するために、各指掛孔５４Ａ，５４Ｂは、各引掛孔５１Ａ，５１Ｂのシート高さ方向の形成領域内に収められて形成されていることが望ましい。また、その限られた領域内において、より広い指掛け用の孔形状を確保するためには、丸孔や三角孔にするよりも、四角孔の形状とした方がシート幅方向や高さ方向により広く孔形状を確保することができる。また、各指掛孔５４Ａ，５４Ｂを各引掛孔５１Ａ，５１Ｂと横並びに設ける方が、そうでない場合と比べて引掛け具４０の各引掛部４１Ａ，４１Ｂを各引掛孔５１Ａ，５１Ｂ内に導く作業が行いやすくなる。以上の理由から、各指掛孔５４Ａ，５４Ｂが、各引掛孔５１Ａ，５１Ｂとほぼ同じ大きさで、かつ、シート高さ方向にずれることなく、シート幅方向にほぼ同列に並ぶ形となって形成されている。
【００６５】
＜＜引掛け具を被引掛け具に引掛ける作業について：図１１〜図１６＞＞
続いて、図１１〜図１６を用いて、上述した引掛け具４０を被引掛け具５０に引掛けて一体的に結合する作業について説明する。なお、以下では、引掛け具４０の中央の引掛部４１Ａを先に引掛けてから、左右両端側の各引掛部４１Ｂを順に引掛ける手順で結合作業を行うものを説明するが、この手順は特に限定されるものではない。すなわち、左右どちらかの引掛部４１Ｂを引掛けてから中央の引掛部４１Ａを引掛け、最後に残りの端側の引掛部４１Ｂを引掛けるようにしてもよいし、両端側の各引掛部４１Ｂを引掛けてから中央の引掛部４１Ａを引掛けるようにしてもよい。いずれの手順で引掛け作業を行っても、引掛け具４０と被引掛け具５０との上述した掛かり合い構造により、これらを適切に掛け合わせることができるようになっている。
【００６６】
先ず、図１１に示すように、作業者がシートバック２の後方側に回り込んだ位置から、引掛け具４０と被引掛け具５０とをそれぞれの手で把持する。その際、最初の引掛け作業が、引掛け具４０の中央の引掛部４１Ａを被引掛け具５０の対応する中央の引掛孔５１Ａに引掛ける作業であるため、例えば、同図に示すように、作業者の左側の手で引掛け具４０の中央辺りの下側の縁部を掴み持ち、右側の手で被引掛け具５０の中央の右側の指掛孔５４Ａに人差し指や中指等の適宜の指をシート後方側から前方側に掛け入れるようにするとよい。なお、被引掛け具５０の中央の引掛孔５１Ａには、その左隣にも指掛孔５４Ａがあるため、作業者の右側の手で引掛け具４０の中央辺りの下側の縁部を掴み持ち、左側の手で被引掛け具５０の中央の左側の指掛孔５４Ａに人差し指や中指等の適宜の指をシート後方側から前方側に掛け入れるようにしてもよい。
【００６７】
上記のように持つことで、引掛け具４０のシート幅方向の中央辺りをバックカバー３０の背裏側下部ピース３２の張力に抗して上方側に引き上げる作業に力を入れやすくなる。また、被引掛け具５０のシート幅方向の中央辺りをバックカバー３０の背裏側上部ピース３１の張力に抗して下方側に引き下げる作業にも力を入れやすくなる。よって、引掛け具４０と被引掛け具５０とを互いに近づける作業を簡便に行うことができる。
【００６８】
その際、作業者が左側の手で引掛け具４０の中央辺りの下側の縁部を掴み持つ時、左手の親指を中央のリブ４２Ａに下側からあてがえることで、同親指を引掛け具４０の引き込み方向（図示上方）に広く面をあてがえて引き込み方向に力を入れ易い状態とすることができると共に、親指にかかる負荷を低減することができる。また、その時、親指の隣側となる人差し指（それ以外の指であってもよい。）を上記リブ４２Ａの裏面側（シート前方側）にあてがえるようにすることで、引掛け具４０を板厚方向に挟み持った状態とすることができる。
【００６９】
また、リブ４２Ａの裏面側に形成された空間部位４２Ａ１の凹み形状によって、リブ４２Ａの裏面側にあてがえた人差し指を引掛けて滑り止めした状態にすることができる。したがって、引掛け具４０をバックカバー３０の背裏側下部ピース３２の張力に抗して上方側に引き上げる作業に力を入れやすくなると共に、同作業を各指に無理な負荷をかけない状態で行えるようになる。
【００７０】
また、作業者が右側の人差し指を被引掛け具５０の指掛孔５４Ａの下側の縁部に掛け入れた際、同下側の縁部が断面半円形状に膨らんだ下側リブ５３の湾曲した周面形状によって滑らかに丸められた形状となっていることにより、作業者の指を指掛孔５４Ａの下側の縁部である下側リブ５３に広く滑らかに面当接させた状態とすることができる（図２０参照）。したがって、被引掛け具５０をバックカバー３０の背裏側上部ピース３１の張力に抗して下方側に引き下げる作業に力を入れやすくなると共に、同作業を上記指に無理な負荷をかけない状態で行えるようになる。
【００７１】
上記のように引掛け具４０と被引掛け具５０とを把持して、これらを互いに引き寄せる方向に力をかけながら引掛け具４０の中央の引掛部４１Ａを被引掛け具５０の対応する中央の引掛孔５１Ａ内にシート前方側から後方側に引掛ける。これにより、図１２に示すように、引掛け具４０が、上記中央の引掛部４１Ａの引掛かりによって、被引掛け具５０の中央の引掛孔５１Ａの掛枠５１Ａ１に掛け合わされた状態に保持された仮固定状態となる。したがって、この状態から、作業者が上記引掛け具４０や被引掛け具５０から手を離しても、引掛け具４０と被引掛け具５０とが互いにシート幅方向の中央箇所で掛け合わされた状態として、バックカバー３０の背裏側下部ピース３２や背裏側上部ピース３１から互いに相反する方向のテンションを受けても、この力を左右対称なバランスのとれた形で受けて一定姿勢の状態に保持される。
【００７２】
次に、引掛け具４０の右端側の引掛部４１Ｂを被引掛け具５０の対応する右端側の引掛孔５１Ｂに引掛ける作業を行う。その手順は、図１３に示すように、先ず、作業者が右側の手で引掛け具４０の右端辺りの下側の縁部を掴み持ち、左側の手で被引掛け具５０の右端側の指掛孔５４Ｂに人差し指や中指等の適宜の指をシート後方側から前方側に掛け入れる。そして、これらを互いに引き寄せる方向に力をかけながら、図１４に示すように、引掛け具４０の右端側の引掛部４１Ｂを被引掛け具５０の対応する右端側の引掛孔５１Ｂ内にシート前方側から後方側に引掛ける。その際も、図１１〜図１２で前述した作業時と同じように、引掛け作業を各指に無理な負荷をかけない状態で簡便に行うことができる。
【００７３】
次に、引掛け具４０の左端側の引掛部４１Ｂを被引掛け具５０の対応する左端側の引掛孔５１Ｂに引掛ける作業を行う。その手順は、図１５に示すように、先ず、作業者が左側の手で引掛け具４０の左端辺りの下側の縁部を掴み持ち、右側の手で被引掛け具５０の左端側の指掛孔５４Ｂに人差し指や中指等の適宜の指をシート後方側から前方側に掛け入れる。そして、これらを互いに引き寄せる方向に力をかけながら、図１６に示すように、引掛け具４０の左端側の引掛部４１Ｂを被引掛け具５０の対応する左端側の引掛孔５１Ｂ内にシート前方側から後方側に引掛ける。その際も、図１１〜図１２で前述した作業時と同じように、引掛け作業を各指に無理な負荷をかけない状態で簡便に行うことができる。
【００７４】
その際、上記左端側の引掛部４１Ｂを引掛孔５１Ｂ内に向けて引き上げる作業により、引掛け具４０が先に引掛けられた中央の引掛部４１Ａを支点にある程度首振りするようになっている。しかし、上記の引き上げ作業によって中央の引掛部４１Ａが引掛孔５１Ａの掛枠５１Ａ１から外れてしまわないように、引掛け具４０を左端側の引掛部４１Ｂと中央の引掛部４１Ａとの間に形成された可撓領域４２Ｄを曲げ撓ませながら上記の作業を行うとよい。こうすることにより、引掛け具４０全体を大きく首振りさせることなく左端側の領域だけをある程度局所的に捩じ曲げて、左端側の引掛部４１Ｂを引掛孔５１Ｂ内に引掛けることができる。
【００７５】
以上の作業により、引掛け具４０を被引掛け具５０に引掛けて結合することができる。上記の引掛けにより、引掛け具４０は、被引掛け具５０に対して、シート幅方向の中央箇所と両端箇所との３箇所の位置で引掛けられて結合された状態となる。詳しくは、引掛け具４０は、被引掛け具５０に対して、シート前方側から後方側に引掛けられることで、結合部４２が被引掛け具５０のシート前方側の位置にずれて配置された状態となる（図１７〜図１９）。
【００７６】
そこで、本実施例では、上記引掛け具４０と被引掛け具５０との掛け合わせ構造を利用して、図２に示すように、シートバック２内のバックフレーム１０の後側の領域を縦向きに走るように通されるワイヤハーネスＷ／Ｈの途中箇所を、この引掛け具４０と被引掛け具５０との間に挟み込ませて、ワイヤハーネスＷ／Ｈのバタ付きを抑えた状態に設けさせるようにしている。具体的には、上記引掛け具４０と被引掛け具５０との間に、ワイヤハーネスＷ／Ｈの途中箇所を次のように挟み込ませて保持している。
【００７７】
すなわち、図４〜図１０で前述したように、引掛け具４０の左右両端側の引掛部４１Ｂと中央の引掛部４１Ａとの間の各領域には、それぞれ、結合部４２が部分的に曲げ撓まされやすい可撓領域４２Ｄが形成されている。これら可撓領域４２Ｄは、前述した小さなリブ４２Ｃによってそれぞれ左右２箇所ずつに区画されて形成されている。上記ワイヤハーネスＷ／Ｈは、上記引掛け具４０と被引掛け具５０とに対して、図２及び図１９に示すように、上記引掛け具４０の左右どちらか（本実施例では左側）の可撓領域４２Ｄを通るように、引掛け具４０と被引掛け具５０との間の隙間内に縦に通されて設けられている。
【００７８】
こうすることにより、ワイヤハーネスＷ／Ｈが引掛け具４０と被引掛け具５０との間の前後方向の隙間より広い直径を持つものであっても、引掛け具４０の可撓領域４２Ｄが柔軟に撓むことで、ワイヤハーネスＷ／Ｈを被引掛け具５０との間に弾性的に柔らかく押さえ付けて挟み込んだ状態に保持することができる。また、可撓領域４２Ｄが上述した小さなリブ４２Ｃで左右に区画されていることにより、この小さなリブ４２ＣによってワイヤハーネスＷ／Ｈのシート幅方向の位置ズレを狭い範囲で規制することができ、より適切にバタ付きを抑える形でワイヤハーネスＷ／Ｈを挟み込んだ状態に保持することができる。
【００７９】
＜＜まとめ＞＞
以上をまとめると、本実施例のシート１（乗物用シート）は次の構成となっている。すなわち、バックカバー３０の背裏側上部ピース３１（シートカバー）にこれを背裏側下部ピース３２に結合された引掛け具４０（所定の取付部）に引掛けるための被引掛け具５０（引掛け具）が結合されたシート１である。被引掛け具５０は、引掛け具４０に引掛けられる引掛孔５１Ａ，５１Ｂ（引掛部）を有し、背裏側上部ピース３１に対してシート幅方向（特定の面内方向）に沿って延びる形に結合されている。被引掛け具５０の、上記引掛孔５１Ａ，５１Ｂを引掛け具４０に向けて引き込む引込方向の中間部に、引掛孔５１Ａ，５１Ｂとは別に作業者の指を掛けられる形に貫通した（起伏した）指掛孔５４Ａ，５４Ｂ（段差部）が形成されている。
【００８０】
このような構成となっていることにより、被引掛け具５０が背裏側上部ピース３１に結合されて設けられていても、被引掛け具５０を引掛け具４０に引掛ける際に指掛孔５４Ａ，５４Ｂに作業者の指を適切に掛けられるようにすることができる。なお、指掛孔５４Ａ，５４Ｂは、作業者の指を複数本入れられる横幅を有した形状としたものであってもよいし、１本だけを入れられる程度の横幅を有した形状とされたものであってもよい。
【００８１】
また、被引掛け具５０に指を引掛けられるようにする構成が貫通孔（指掛孔５４Ａ，５４Ｂ）によって構成されていることにより、被引掛け具５０から形状を張り出させることなく指掛け部を設定することができる。また、被引掛け具５０自体に指を通すことができるため、被引掛け具５０に指を安定した強い力をかけられる状態に掛けられるようになる。
【００８２】
また、指掛孔５４Ａ，５４Ｂが引掛孔５１Ａ，５１Ｂと同じ形質（同じ大きさ・形）であるが、指掛孔５４Ａ，５４Ｂが引掛け具４０に組み付けられることを防止する誤組み付け防止構造を備えている。このような構成となっていることにより、指掛孔５４Ａ，５４Ｂを引掛孔５１Ａ，５１Ｂと同じ形質に形成しても、誤組み付けを防止することができる。
【００８３】
また、指掛孔５４Ａ，５４Ｂがシート幅方向において引掛孔５１Ａ，５１Ｂの形成領域から外れた領域に形成されている。このような構成となっていることにより、引掛孔５１Ａ，５１Ｂの引掛け具４０への引掛けを邪魔しないように指掛孔５４Ａ，５４Ｂを設けることができる。
【００８４】
以上、本発明の実施形態を１つの実施例を用いて説明したが、本発明は上記実施例のほか各種の形態で実施することができるものである。例えば、本発明の「乗物用シート」は、自動車の左席以外のシートにも適用することができる他、鉄道等の自動車以外の車両や、航空機、船舶等の種々の乗物に供されるシートにも広く適用することができるものである。
【００８５】
＜＜「引掛け具」のその他の実施形態について：図２２〜図２４＞＞
また、図２２に示すように、被引掛け具５０（引掛け具）の指掛孔５４Ｃ，５４Ｄ（段差部）を、引掛孔５１Ａ，５１Ｂ（引掛部）よりも高い位置（異なる高さ）に形成することで、誤組み付け防止構造を構成してもよい。指掛孔５４Ｃ，５４Ｄが引掛孔５１Ａ，５１Ｂより高い位置に形成されることにより、各指掛孔５４Ｃ，５４Ｄの下側の縁部がシート高さ方向に長尺な断面形状となるため、引掛け具４０（所定の取付部）の各引掛部４１Ａ，４１Ｂが各指掛孔５４Ｃ，５４Ｄに引掛けられにくくなる。
【００８６】
また、図２３に示すように、被引掛け具５０（引掛け具）の指掛孔５４Ｅ，５４Ｆ（段差部）を、引掛孔５１Ａ，５１Ｂ（引掛部）とは異なる形状（楕円状）に形成することで、誤組み付け防止構造を構成してもよい。指掛孔５４Ｅ，５４Ｆが引掛孔５１Ａ，５１Ｂとは異なる楕円形状とされることにより、作業者が視覚的に引掛け具４０（所定の取付部）の各引掛部４１Ａ，４１Ｂの引掛け先が指掛孔５４Ｅ，５４Ｆでないことをより的確に認識することができるため、引掛け具４０（所定の取付部）の各引掛部４１Ａ，４１Ｂが各指掛孔５４Ｅ，５４Ｆに引掛けられにくくなる。なお、指掛孔５４Ｅ，５４Ｆは、楕円の他、正円や三角形等の引掛孔５１Ａ，５１Ｂとは異なる他の形状で形成されたものであってもよい。
【００８７】
また、図２４に示すように、被引掛け具５０（引掛け具）の指掛孔５４Ｇ，５４Ｈ（段差部）を、引掛孔５１Ａ，５１Ｂ（引掛部）よりも小さい形状にすることで、誤組み付け防止構造を構成してもよい。指掛孔５４Ｇ，５４Ｈが引掛孔５１Ａ，５１Ｂよりも小さい形状とされることにより、引掛け具４０（所定の取付部）の各引掛部４１Ａ，４１Ｂを指掛孔５４Ｇ，５４Ｈに引掛けることができなくなる。図２４に示した例では、指掛孔５４Ｇ，５４Ｈを指を１本入れられる程度の小さな丸孔状に形成したものをシート幅方向に２個ずつ並べて形成したものとし、指を２本ずつ掛けられるようにしている。なお、指掛孔５４Ｇ，５４Ｈは、小さな丸孔の他、引掛け具４０の各引掛部４１Ａ，４１Ｂを引掛けられない大きさや形となるような各種大きさや形で形成されたものであってもよい。
【００８８】
＜＜その他の実施形態について＞＞
また、「シートカバー」は、シートバックの他、シートクッションやヘッドレスト等の他のシート構造物に被せられるものであってもよい。「シートカバー」は、皮革材（合成皮革や人工皮革など）の他、布材等の他の可撓性の面状材からなるものであってもよい。また、上記シートカバーの引掛けられる「所定の取付部」は、上記実施例で示したようなシートカバーの他の領域部の他、シートフレームやシートフレームに結合されたワイヤ等の他のシート構成部材であってもよい。また、シートカバーに対する引掛け具の結合の仕方は、縫合の他、接着やビス締結などの他の結合方法によるものであってもよい。
【００８９】
また、「引掛け具」は、シートカバーの中間部位に限らず、縁部位等の様々な領域に結合されて設けられるものであってもよい。また、「引掛部」は、連続的に単数で設けられるものの他、断続的に複数で設けられるものであってもよい。「引掛部」の形状は、上記実施例で示したような孔形状（引掛孔）のものに限らず、フック形状等の種々の形のものを採用することができる。また、作業者の指を掛けられるようにする「段差部」も同様に、上記実施例で示したような孔形状（指掛孔）のものに限らず、突起形状や凹み形状等の種々の形のものを採用することができる。「引掛部」と「段差部」の形状を互いに相異なる形状とすることにより、それ自体で誤組み付け防止構造を構成することができる。
【符号の説明】
【００９０】
１      シート
２      シートバック
３      シートクッション
１０    バックフレーム
１１    サイドフレーム
１２    アッパパイプ
１３    ロアプレート
２０    バックパッド
３０    バックカバー
３１    背裏側上部ピース（シートカバー）
３１Ａ  縫い線
３１Ｂ  延長領域
３２    背裏側下部ピース
３２Ａ  縫い線
４０    引掛け具（所定の取付部）
４１Ａ，４１Ｂ  引掛部
４１Ａ１，４１Ｂ１  立ち上がり片
４１Ａ２，４１Ｂ２  返し片
４１Ａ３，４１Ｂ３  掛爪
４２    結合部
４２Ａ，４２Ｂ，４２Ｃ  リブ
４２Ａ１，４２Ｂ１，４２Ｃ１  空間部位
４２Ｄ  可撓領域
５０    被引掛け具（引掛け具）
５１Ａ，５１Ｂ  引掛孔（引掛部）
５１Ａ１，５１Ｂ１  掛枠
５１Ａ２  張出縁部
５２  上側リブ
５２Ａ  空間部位
５３  下側リブ
５４Ａ，５４Ｂ  指掛孔（段差部）
５４Ｃ，５４Ｄ  指掛孔（段差部）
５４Ｅ，５４Ｆ  指掛孔（段差部）
５４Ｇ，５４Ｈ  指掛孔（段差部）
Ｓ／Ａ  サイドエアバッグ装置
Ｗ／Ｈ  ワイヤハーネス
【図１】
0006341064.tif 000002
【図２】
0006341064.tif 000003
【図３】
0006341064.tif 000004
【図４】
0006341064.tif 000005
【図５】
0006341064.tif 000006
【図６】
0006341064.tif 000007
【図７】
0006341064.tif 000008
【図８】
0006341064.tif 000009
【図９】
0006341064.tif 000010
【図１０】
0006341064.tif 000011
【図１１】
0006341064.tif 000012
【図１２】
0006341064.tif 000013
【図１３】
0006341064.tif 000014
【図１４】
0006341064.tif 000015
【図１５】
0006341064.tif 000016
【図１６】
0006341064.tif 000017
【図１７】
0006341064.tif 000018
【図１８】
0006341064.tif 000019
【図１９】
0006341064.tif 000020
【図２０】
0006341064.tif 000021
【図２１】
0006341064.tif 000022
【図２２】
0006341064.tif 000023
【図２３】
0006341064.tif 000024
【図２４】
0006341064.tif 000025